(57)【特許請求の範囲】
【請求項１】
車両ウィンドウ用アンテナ装置であって、該アンテナ装置は、
ウィンドウに設けられるアンテナエレメントと、
ウィンドウ上に設けられるアンプ回路であって、該アンプ回路のホット端子が前記アンテナエレメントに接続される、アンプ回路と、
ウィンドウに設けられ、前記アンプ回路のグラウンド端子に接続されると共に、ウィンドウに設けられるデフォッガのグラウンド側に接続される、グラウンドパターンと、
ウィンドウに設けられ、受信機側から見た前記アンテナエレメント側のインピーダンスを調整し、前記グラウンドパターンから延在する電流の流れないパターンからなるインピーダンス調整部と、
を具備することを特徴とする車両ウィンドウ用アンテナ装置。
【請求項２】
請求項１に記載の車両ウィンドウ用アンテナ装置において、前記インピーダンス調整部は、前記アンプ回路のグラウンド端子に前記グラウンドパターンが接続される接続位置近傍から分岐するパターンにより提供されることを特徴とする車両ウィンドウ用アンテナ装置。
【請求項３】
請求項１又は請求項２に記載の車両ウィンドウ用アンテナ装置において、前記グラウンドパターンは、ウィンドウに設けられるデフォッガ用のバスバーのグラウンドに接続されることを特徴とする車両ウィンドウ用アンテナ装置。
【請求項４】
請求項３に記載の車両ウィンドウ用アンテナ装置において、前記インピーダンス調整部は、さらに、バスバーのグラウンドに前記グラウンドパターンが接続される接続位置近傍から分岐するパターンにより提供されることを特徴とする車両ウィンドウ用アンテナ装置。
【請求項５】
請求項４に記載の車両ウィンドウ用アンテナ装置において、前記インピーダンス調整部は、バスバーのグラウンドに前記グラウンドパターンが接続される接続位置を変えることによりその長さが可変可能であることを特徴とする車両ウィンドウ用アンテナ装置。
【請求項６】
請求項１乃至請求項５の何れかに記載の車両ウィンドウ用アンテナ装置であって、さらに、第２アンテナエレメントを具備し、前記インピーダンス調整部は、前記第２アンテナエレメントのパターンも用いて受信機側から見た前記アンテナエレメント側のインピーダンスを調整することを特徴とする車両ウィンドウ用アンテナ装置。
【発明の詳細な説明】
【技術分野】
【０００１】
本発明は車両ウィンドウ用アンテナ装置に関し、特に、車両ウィンドウに設けられるアンテナ装置のインピーダンスを調整可能な車両ウィンドウ用アンテナ装置に関する。
【背景技術】
【０００２】
車両のウィンドウに設けられるアンテナ装置、より具体的はＡＭラジオやＦＭラジオ用のガラスアンテナ装置は、車両のリアウィンドウに設けられることが多い。また、アンテナ装置と車内の受信機とは同軸ケーブルで接続され、この同軸ケーブルの途中でボディアースを取るものが一般的である。車両のリアウィンドウの大部分の領域には、デフォッガ用の電熱線が設けられていることが多く、アンテナ装置は、この電熱線の影響を避けるように電熱線の設けられていない余白部分に設けられるため、その配置位置には制限が多いものである。
【０００３】
また、ガラスアンテナ装置において、電力を効率良く受け渡したり電波の反射の問題が起きないようにするためのインピーダンス調整については、同軸ケーブルとアンテナエレメントとの間にマッチング回路を設けたものもある（特許文献１）。
【０００４】
また、アンテナエレメント近傍の電熱線の一部をメアンダ形状にすることで、インピーダンス調整を行っているものも存在する（特許文献２）。
【０００５】
【特許文献１】特開平１０−２６１９１２号公報
【特許文献２】特開２００７−１８９７３９号公報
【発明の開示】
【発明が解決しようとする課題】
【０００６】
しかしながら、ガラスアンテナ装置に関しては、ボディアースを取ることが前提となっており、金属車両用に限定されるものであるため、カーボンファイバ製や樹脂製のボディからなる車両に対してはそのまま適用できるものではなかった。特に、カーボンファイバ製ボディの車両については、カーボンファイバに電流を流すと発熱するので、場合によっては発火する危険性があるためボディアースを取ることはできなかった。
【０００７】
また、特許文献１に開示の技術では、マッチング回路が必要となるため、部品点数が増加しコスト高となっていた。また、デフォッガ用の電熱線やＡＭ・ＦＭラジオ用アンテナエレメントがウィンドウの大部分の領域に存在し、さらに車両内部もケーブル等種々のパーツが配置されており、マッチング回路を設けるスペースがない場合もあった。
【０００８】
さらに、電熱線をメアンダ形状に加工した場合には、外観上目障りでありドライバの視界を妨げる場合もあった。
【０００９】
またさらに、インピーダンス調整はアンテナパターンの影響や車体の影響も受けるため、ガラスアンテナ装置の設計を行う場合には、アンテナパターンの開発とインピーダンス調整は切り離して考えることができず、さらに、実車にアンテナ装置を搭載した場合に再度アンテナパターンやインピーダンスの調整が必要であった。
【００１０】
本発明は、斯かる実情に鑑み、マッチング回路が不要であり、既存のアンテナパターンをそのまま用いた上でアンテナ特性の微調整が可能であり、視界を妨げるおそれも少ない車両ウィンドウ用アンテナ装置を提供しようとするものである。さらに、ボディアースが取れない場合でも実現可能な車両ウィンドウ用アンテナ装置を提供しようとするものである。
【課題を解決するための手段】
【００１１】
上述した本発明の目的を達成するために、本発明による車両ウィンドウ用アンテナ装置は、ウィンドウに設けられるアンテナエレメントと、ウィンドウ上に設けられるアンプ回路であって、該アンプ回路のホット端子がアンテナエレメントに接続される、アンプ回路と、ウィンドウに設けられ、アンプ回路のグラウンド端子に接続される、グラウンドパターンと、ウィンドウに設けられ、受信機側から見たアンテナエレメント側のインピーダンスを調整し、グラウンドパターンから延在する電流の流れないパターンからなるインピーダンス調整部と、を具備するものである。
【００１２】
ここで、インピーダンス調整部は、アンプ回路のグラウンド端子にグラウンドパターンが接続される接続位置近傍から分岐するパターンにより提供されれば良い。
【００１３】
また、グラウンドパターンは、ウィンドウに設けられるデフォッガ用のバスバーのグラウンドに接続されても良い。
【００１４】
また、インピーダンス調整部は、さらに、バスバーのグラウンドにグラウンドパターンが接続される接続位置近傍から分岐するパターンにより提供されても良い。
【００１５】
また、インピーダンス調整部は、バスバーのグラウンドにグラウンドパターンが接続される接続位置を変えることによりその長さが可変可能であっても良い。
【００１６】
さらに、第２アンテナエレメントを具備し、インピーダンス調整部は、第２アンテナエレメントのパターンも用いて受信機側から見たアンテナエレメント側のインピーダンスを調整しても良い。
【発明の効果】
【００１７】
本発明の車両ウィンドウ用アンテナ装置には、マッチング回路が不要で、既存のアンテナパターンをそのまま用いた上でインピーダンス調整が可能なため、アンテナ設計や装置の低コスト化が図れるという利点がある。また、ボディアースが取れない場合でも実現可能であり、視界を妨げるおそれも少ないという利点もある。
【発明を実施するための最良の形態】
【００１８】
以下、本発明を実施するための最良の形態を図示例と共に説明する。図１は、本発明の第１実施例の車両ウィンドウ用アンテナ装置を説明するための概略図である。図示の通り、本発明の車両ウィンドウ用アンテナ装置は、アンテナエレメント１０と、アンプ回路２０と、グラウンドパターン３０と、インピーダンス調整部４０とから主に構成されるものである。なお、アンプ回路２０を内蔵するコネクタには、ラジオ受信機等（図示せず）に接続される同軸ケーブル２が接続されている。
【００１９】
図示例では、アンテナ装置が車両のリアウィンドウ１に設けられている例を示している。リアウィンドウ１には、デフォッガ用の電熱線３が複数設けられており、これらの両端にバスバー４、４'が接続されている。電熱線３は、バスバー４、４'間に電流を流すことで発熱し、ウィンドウの曇りを取るものである。例えばバスバー４にはプラス電圧が供給され、バスバー４'はグラウンドに接続されている。なお、図中、ウィンドウ１上の破線の内側の領域がドライバにより視認できる領域であり、その外側はピラーや車体等によりドライバからは隠れる領域である。この破線領域については特に図示例には限定されず、種々変更可能であることは勿論である。
【００２０】
図示例の車両ウィンドウ用アンテナ装置では、アンテナエレメント１０は、ＡＭアンテナエレメント１１とＦＭアンテナエレメント１２とからなる。アンテナエレメント１０は、導電線からなるものであり、ガラスアンテナ装置の場合にはガラスに埋め込まれたものとなる。なお、本発明の車両ウィンドウ用アンテナ装置は、アンテナエレメントがガラス内に埋め込まれたものには限定されず、ガラス上に貼付されたフィルムアンテナ等であっても適用可能である。また、本発明では、アンテナエレメントのエレメントパターンや周波数帯域は、図示例又はＡＭ／ＦＭ帯域に限定されるものではなく、用途や配置位置を考慮して種々変更可能である。また、アンテナエレメントとしては、既存のエレメントパターンをそのまま用いることが可能である。勿論、新規にエレメントパターンを開発しても良い。
【００２１】
ウィンドウ１上には、アンプ回路２０が設けられている。アンプ回路２０は、アンテナエレメントで受信した信号を増幅するものであり、そのホット端子がアンテナエレメント１０に接続されている。より具体的には、図示例ではＡＭアンテナエレメント１１とＦＭアンテナエレメント１２の２つのアンテナエレメントが存在しているため、ＡＭアンテナホット端子２１及びＦＭアンテナホット端子２２の２つが、それぞれＡＭアンテナエレメント１１とＦＭアンテナエレメント１２に接続されている。
【００２２】
また、ウィンドウ１には、導電線からなるグラウンドパターン３０が設けられている。グラウンドパターン３０の一端は、アンプ回路２０のグラウンド端子２３に接続されている。図示例の第１実施例の車両ウィンドウ用アンテナ装置においては、グラウンドパターン３０の他端はボディアース３８に接続されている例を示している。ボディアース３８については、金属ボディに直接結合により接地されても良いし、容量結合により接地されても良い。なお、アンテナエレメントと同様、グラウンドパターンについても、ガラス内に埋め込まれたものであってもガラス上に貼付されたものであっても構わない。
【００２３】
本発明の車両ウィンドウ用アンテナ装置では、さらに、グラウンドパターン３０から延在するインピーダンス調整部４０がウィンドウ１に設けられている。インピーダンス調整部４０は、導電線からなるものであり、受信機側から見たアンテナエレメント側のインピーダンスを調整するものである。より具体的には、インピーダンス調整部４０は、図示例では特にＦＭアンテナエレメント１２のインピーダンスを調整するものである。インピーダンス調整部４０はグラウンドパターン３０から延在するパターンであるが、開回路であるため電流は流れないパターンである。インピーダンス調整部４０は、グラウンドパターン兼インピーダンス調整部となるように、グラウンドパターンから分岐して一体的に設けられている。本発明の車両ウィンドウ用アンテナ装置では、このインピーダンス調整部４０の長さを調整することで、インピーダンスを微調整することができる。
【００２４】
図示例の車両ウィンドウ用アンテナ装置では、インピーダンス調整部４０は、アンプ回路２０のグラウンド端子２３に、グラウンドパターン３０が接続される接続位置近傍から分岐するパターンにより提供されている。しかしながら、インピーダンス調整部がグラウンドパターンから延在し且つ電流が流れないパターンとなっていれば、インピーダンス調整部の配置位置や方向は図示例のものに限定されない。
【００２５】
本発明の車両ウィンドウ用アンテナ装置では、このような構成のインピーダンス調整部の長さを調整することで、例えばＦＭアンテナエレメントによる受信感度特性を変化させることが可能となる。これにより、例えばＦＭ帯域内での平均受信感度を向上させたアンテナ装置となるように調整したり、最小受信感度が最も高い特性を有するようなアンテナ装置となるように調整することが可能となる。
【００２６】
上述の第１実施例の車両ウィンドウ用アンテナ装置は、ボディアースを取ることが可能な車両に適用可能なものであり、アンテナ装置を設置するウィンドウはリアウィンドウに限定されず、フロントウィンドウやサイドウィンドウに設置しても良い。
【００２７】
次に、本発明の第２実施例の車両ウィンドウ用アンテナ装置を、図２を用いて説明する。図２は、本発明の第２実施例の車両ウィンドウ用アンテナ装置を説明するための概略図である。図中、図１と同一の符号を付した部分は概ね同一物を表わしているため、重複説明は省略する。また、図１で示した同軸ケーブルについても同様の構成であるため、図示を省略する。
【００２８】
第１実施例の車両ウィンドウ用アンテナ装置はボディアースを取ることが可能な車両に適用した例を示したが、本第２実施例の車両ウィンドウ用アンテナ装置は、ボディアースを取ることができないカーボンファイバ製や樹脂製のボディからなる車両にも適用可能な例である。第２実施例が第１実施例と異なる点は、第１実施例の車両ウィンドウ用アンテナ装置ではグラウンドパターンがボディアースされていたが、本第２実施例の車両ウィンドウ用アンテナ装置では、グラウンドパターンがウィンドウに設けられるデフォッガ用のバスバーのグラウンドに接続されている点にある。
【００２９】
図２に示されるように、第２実施例の車両ウィンドウ用アンテナ装置のグラウンドパターン３１は、デフォッガ用の電熱線３の両端に接続されるバスバー４、４'のグラウンド、図示例ではバスバー４'側に接続されている。即ち、バスバー４'が接地されているため、これを用いてアンテナ装置が接地されるように構成されている。したがって、ボディアースができないような車両であっても、デフォッガ用のバスバーがウィンドウに設けられていれば、そこにグラウンドパターンを接続することで第１実施例と同様の車両ウィンドウ用アンテナ装置が実現可能となる。
【００３０】
ここで、本発明の車両ウィンドウ用アンテナ装置のアンプ回路周辺の構造をより具体的に説明する。図３は、本発明の車両ウィンドウ用アンテナ装置のアンプ回路周辺の構造を説明するための概略斜視図である。図中、図２と同一の符号を付した部分は概ね同一物を表わしているため、重複説明は省略する。
【００３１】
図示の通り、アンプ回路２０はコネクタ２５内に内蔵されており、コネクタ２５に設けられた孔を通して同軸ケーブル２がアンプ回路２０に接続されている。そして、ウィンドウ１上のＡＭアンテナホット端子２１、ＦＭアンテナホット端子２２、グラウンド端子２３上には、これらに対応した位置に孔を有するキャッチャ２６が設けられている。キャッチャ２６は、コネクタ２５と嵌合するように構成されている。キャッチャ２６とコネクタ２５が嵌合することにより、アンテナエレメント１０及びグラウンドパターン３０と、同軸ケーブル２とが電気的に導通する。キャッチャ２６は、絶縁性材料から構成されていれば良く、例えば接着剤や両面テープ等によりウィンドウ１上に固定されれば良い。これにより、ウィンドウ１上ではんだ付けを行う必要がなくなる。したがって、本発明の車両ウィンドウ用アンテナ装置は、ガラスだけでなくポリカーボネイト等、耐熱温度が低い材質のウィンドウ材であっても設置することが可能となる。
【００３２】
次に、このように構成された本発明の車両ウィンドウ用アンテナ装置において、インピーダンス調整部の長さを変えたときの受信感度特性について説明する。図４は、インピーダンス調整部の長さを変化させたときの周波数対受信感度特性を示すグラフである。図示したグラフは、インピーダンス調整部の長さＬが、それぞれ５８０ｍｍ、４８０ｍｍ、４３０ｍｍ、３８０ｍｍのときの周波数対ＦＭ受信感度特性の変化を示している。なお、周波数帯域は国内のＦＭラジオ帯（７６−９０ＭＨｚ）とした。また、図示したグラフの測定データを以下の表１に示す。
【表１】
0004634474.tif 000002
【００３３】
図示のグラフ及び表１から分かる通り、インピーダンス調整部の長さＬを短くしていくと、低い周波数では受信感度が上がり、高い周波数では受信感度が下がっている。また、インピーダンス調整部の長さＬを短くしていくと帯域内の平均受信感度は下がっているが、逆に帯域内の最小受信感度は上がっている。
【００３４】
本発明の車両ウィンドウ用アンテナ装置では、このような特性の変化を利用して、インピーダンス調整部の長さＬを調整することで、用途や仕様に沿った特性を有するようにアンテナ特性を調整することが可能である。
【００３５】
なお、インピーダンス調整用に、さらに他のインピーダンス調整手段を本発明の車両ウィンドウ用アンテナ装置に設けても良い。図５は、図２に示される本発明の第２実施例の車両ウィンドウ用アンテナ装置に、他のインピーダンス調整手段を設けた例を説明するための概略図である。図中、図２と同一の符号を付した部分は概ね同一物を表わしているため、重複説明は省略する。また、図１で示した同軸ケーブルについても同様の構成であるため、図示を省略する。
【００３６】
図示例の車両ウィンドウ用アンテナ装置では、バスバー４の上部からインピーダンス調整用パターン４１が設けられている。また、電熱線３上には、逆Ｔ型のインピーダンス調整用素子４２が設けられている。
【００３７】
さらに、ＡＭアンテナエレメント１１'には、その一部のパターンの長さを短くすることでインピーダンスを調整している部分４３が存在している。即ち、インピーダンス調整部は、ＡＭアンテナエレメントのパターンも用いてインピーダンスを調整する構成となっている。
【００３８】
これらのインピーダンス調整手段は、何れも電流が流れないパターンである。このような付加的なインピーダンス調整手段を本発明の車両ウィンドウ用アンテナ装置に種々適用することで、受信機側から見たアンテナエレメント側のインピーダンス全体を調整しても良い。
【００３９】
次に、本発明の第３実施例の車両ウィンドウ用アンテナ装置を、図６を用いて説明する。図６は、本発明の第３実施例の車両ウィンドウ用アンテナ装置を説明するための概略図である。図中、図１や図２と同一の符号を付した部分は概ね同一物を表わしているため、重複説明は省略する。また、図１で示した同軸ケーブルについても同様の構成であるため、図示を省略する。
【００４０】
図６に示されるように、第３実施例の車両ウィンドウ用アンテナ装置は、先ず第２実施例と同様に、アンプ回路２０のグラウンド端子２３にグラウンドパターン３１の一端が接続される接続位置近傍から分岐するインピーダンス調整部４０を有する。そして、バスバーのグラウンド４'にグラウンドパターン３１の他端が接続されているが、この接続位置近傍から分岐するパターンにより、もう１つのインピーダンス調整部４０'が設けられている。即ち、本発明の第３実施例では、インピーダンスを調整するための素子として、インピーダンス調整部４０とインピーダンス調整部４０'の２つを用いる構成となっている。
【００４１】
本発明の第３実施例の車両ウィンドウ用アンテナ装置において、ＦＭアンテナエレメントの受信感度特性を変化させる場合には、インピーダンス調整部４０とインピーダンス調整部４０'の２つ長さの和により調整することが可能である。ここで、インピーダンス調整部の長さを変える場合、インピーダンス調整部のグラウンドパターン側とは反対側の端の長さを長くしたり短くしたりすることも勿論可能であるが、ウィンドウ領域内でのインピーダンス調整部の配置制限等により、グラウンドパターン側とは反対側の端の長さを変化させられない場合もあり得る。しかしながら、本発明の第３実施例の車両ウィンドウ用アンテナ装置では、バスバーのグラウンドにグラウンドパターンが接続される接続位置近傍から分岐するもう１つのインピーダンス調整部４０'の長さを変えることにより、インピーダンス調整部全体の長さを可変することが可能となる。
【００４２】
図７は、図６に示されるインピーダンス調整部４０'の長さＬ２を変化させたときの周波数対受信感度特性を示すグラフである。図示したグラフは、インピーダンス調整部４０'の長さＬ２が、それぞれ２００ｍｍ、３００ｍｍ、４００ｍｍ、４５０ｍｍのときの周波数対ＦＭ受信感度特性の変化を示している。なお、バスバー４'へグラウンドパターン３１が接続される接続位置から分岐点までの長さが１０ｍｍで、分岐点からインピーダンス調整部４０'までの長さが１０ｍｍの場合の測定データである。また、バスバー４'の長さは約４００ｍｍである。
【００４３】
図示のグラフから分かる通り、インピーダンス調整部の長さＬ２を長くしていくと、概ね感度が向上していくことが分かる。特にＬ２を４００ｍｍよりも長くした場合には、顕著に感度が向上している。
【００４４】
本発明の車両ウィンドウ用アンテナ装置では、このような特性の変化を利用して、もう１つのインピーダンス調整部の長さＬ２を調整することで、用途や仕様に沿った特性を有するようにアンテナ特性を調整することが可能である。
【００４５】
次に、本発明の第４実施例の車両ウィンドウ用アンテナ装置を、図８を用いて説明する。図８は、本発明の第４実施例の車両ウィンドウ用アンテナ装置を説明するための概略図である。図中、図１や図２と同一の符号を付した部分は概ね同一物を表わしているため、重複説明は省略する。また、図１で示した同軸ケーブルについても同様の構成であるため、図示を省略する。
【００４６】
本発明の第２実施例の車両ウィンドウ用アンテナ装置は、アンプ回路のグラウンド端子にグラウンドパターンが接続される接続位置近傍から分岐するパターンによりインピーダンス調整部が提供される例を示したが、本第４実施例の車両ウィンドウ用アンテナ装置は、インピーダンス調整部が、さらにバスバーのグラウンドにグラウンドパターンが接続される接続位置近傍から分岐するパターンも有する例である。
【００４７】
図８に示されるように、第４実施例の車両ウィンドウ用アンテナ装置は、先ず第２実施例と同様に、アンプ回路２０のグラウンド端子２３にグラウンドパターン３２の一端が接続される接続位置近傍から分岐するインピーダンス調整部４０を有する。そして、バスバーのグラウンド４'にグラウンドパターン３２の他端が接続されているが、この接続位置近傍から分岐するパターンにより、もう１つのインピーダンス調整部４０"が設けられている。即ち、本発明の第４実施例では、インピーダンスを調整するための素子として、インピーダンス調整部４０とインピーダンス調整部４０"の２つを用いる構成となっている。なお、インピーダンス調整部は図示例のように屈折していても良いが、本発明は図示例のようなパターンには限定されず、図２等に示されるように直線状に設けられていても良い。
【００４８】
図２に示される第２実施例では、アンプ回路２０が長手方向を横向きにしてウィンドウ１の上部に配置された例を示したが、図８に示される第４実施例では、アンプ回路２０が長手方向を縦向きにしてウィンドウ１の側部に配置された例を示した。しかしながら、本発明の第３実施例の車両ウィンドウ用アンテナ装置は、このような配置には限定されず、バスバーのグラウンドにグラウンドパターンが接続される接続位置近傍から分岐するパターンを有していれば、アンプ回路２０は第２実施例と同様の配置であっても構わない。
【００４９】
本発明の第４実施例の車両ウィンドウ用アンテナ装置において、ＦＭアンテナエレメントの受信感度特性を変化させる場合には、インピーダンス調整部４０とインピーダンス調整部４０"の２つ長さの和により調整することが可能である。ここで、インピーダンス調整部の長さを変える場合、インピーダンス調整部のグラウンドパターン側とは反対側の端の長さを長くしたり短くしたりすることも勿論可能であるが、ウィンドウ領域内でのインピーダンス調整部の配置制限等により、グラウンドパターン側とは反対側の端の長さを変化させられない場合もあり得る。しかしながら、本発明の第４実施例の車両ウィンドウ用アンテナ装置では、バスバーのグラウンドにグラウンドパターンが接続される接続位置を変えることにより、インピーダンス調整部の長さを可変することが可能となる。即ち、例えば図８に示される例では、バスバーのグラウンド４'にグラウンドパターン３２が接続される接続位置３４は、バスバーのグラウンド４'の下端部に接続されているが、この接続位置を例えば下端部よりも上方の接続位置３４'のところに移動した場合には、インピーダンス調整部４０"の長さが長くなる。このため、インピーダンス調整部４０とインピーダンス調整部４０"の２つ長さのトータルは長くなる。
【００５０】
しがたって、インピーダンス調整部のグラウンドパターン側とは反対側の端の長さを変えることなく、バスバーのグラウンドの下端から上端までの間でグラウンドパターンが接続される接続位置を変えることで、インピーダンス調整部の長さを調整することが可能となる。即ち、インピーダンス調整部のグラウンドパターン側とは反対側の端の長さを変えなくても、インピーダンス調整部の長さはバスバーの長さ分だけ調整可能である。これにより、用途や仕様、あるいは配置スペースに応じて、バスバーのグラウンドにグラウンドパターンが接続される接続位置を、バスバーのグラウンドの下端部や上端部、中央部等、種々選択することで、インピーダンス調整が可能となる。
【００５１】
このように、本発明の車両ウィンドウ用アンテナ装置では、既存のアンテナパターンをそのまま用いた上で、グラウンドパターンから延在するインピーダンス調整部を用いてインピーダンス調整が可能なため、アンテナ設計の低コスト化が図れるという利点がある。また、ボディアースが取れない場合でもバスバーを用いることで接地が可能であり、さらに、インピーダンス調整部により視界を妨げるおそれも少ないという利点もある。
【００５２】
なお、本発明の車両ウィンドウ用アンテナ装置は、上述の図示例にのみ限定されるものではなく、本発明の要旨を逸脱しない範囲内において種々変更を加え得ることは勿論である。例えば、図５に示される他のインピーダンス調整手段は、図１や図６、図８等に示される車両ウィンドウ用アンテナ装置に適宜組み合わせて用いることも勿論可能である。また、上述の図示例や説明で用いられた寸法や周波数特性についても、単なる一例であって、本発明はこれらの具体的な寸法や周波数特性に限定されるものではない。
【図面の簡単な説明】
【００５３】
【図１】図１は、本発明の第１実施例の車両ウィンドウ用アンテナ装置を説明するための概略図である。
【図２】図２は、本発明の第２実施例の車両ウィンドウ用アンテナ装置を説明するための概略図である。
【図３】図３は、本発明の車両ウィンドウ用アンテナ装置のアンプ回路周辺の構造を説明するための概略斜視図である。
【図４】図４は、インピーダンス調整部の長さを変化させたときの周波数対受信感度特性を示すグラフである。
【図５】図５は、図２の本発明の第２実施例の車両ウィンドウ用アンテナ装置に、他のインピーダンス調整手段を設けた例を説明するための概略図である。
【図６】図６は、本発明の第３実施例の車両ウィンドウ用アンテナ装置を説明するための概略図である。
【図７】図７は、インピーダンス調整部の長さを変化させたときの周波数対受信感度特性を示すグラフである。
【図８】図８は、本発明の第４実施例の車両ウィンドウ用アンテナ装置を説明するための概略図である。
【符号の説明】
【００５４】
１    ウィンドウ
２    同軸ケーブル
３    電熱線
４、４'    バスバー
１０    アンテナエレメント
１１    ＡＭアンテナエレメント
１２    ＦＭアンテナエレメント
２０    アンプ回路
２１    ＡＭアンテナホット端子
２２    ＦＭアンテナホット端子
２３    グラウンド端子
２５    コネクタ
２６    キャッチャ
３０、３１、３２    グラウンドパターン
４０、４０'、４０"    インピーダンス調整部
【図１】
0004634474.tif 000003
【図２】
0004634474.tif 000004
【図３】
0004634474.tif 000005
【図４】
0004634474.tif 000006
【図５】
0004634474.tif 000007
【図６】
0004634474.tif 000008
【図７】
0004634474.tif 000009
【図８】
0004634474.tif 000010